(57)【要約】【課題】  持ち運びやすい食器セット及びこれに用いる食品用握り鋏を提供する。【解決手段】  食品を切断する握り鋏２と、食品をすくうスプーン３とを具備する食器セット１において、握り鋏２の握り部５の内周に、スプーン３の柄１１の挿入によって握り部５が押し広げられるように、柄１１を受け入れる収容部７を設ける。【選択図】      図１
2005177181.tif 000002
【特許請求の範囲】
【請求項１】
食品を切断する握り鋏と、食品をすくうスプーンとを具備し、
前記握り鋏の握り部の内周に、前記スプーンの柄を受け入れる収容部を前記柄の挿入によって前記握り部が押し広げられるように設けたことを特徴とする食器セット。
【請求項２】
前記握り鋏の前記収容部へ前記スプーンの前記柄を挿入した状態で前記スプーンのすくい部が前記握り鋏の挟み部と重なり合うように、前記握り鋏の長手方向に関する前記収容部の深さが設定されていることを特徴とする請求項１に記載の食器セット。
【請求項３】
前記握り鋏の挟み部の刃先が波形に形成されていることを特徴とする請求項１又は２に記載の食器セット。
【請求項４】
挟み部の刃先が波形に形成されていることを特徴とする食品用握り鋏。
【発明の詳細な説明】
【技術分野】
【０００１】
本発明は食品を幼児に食べさせる際に使用する食器セット及びそれに用いる食品用握り鋏に関する。
【背景技術】
【０００２】
従来、食品を適当な大きさに切断して幼児に食べさせる際には、それぞれ独立して設けられたカッター、スプーンなどの食器類が使用されていた。
【発明の開示】
【発明が解決しようとする課題】
【０００３】
しかしながら、このような食器類は主に外出先で使用されるにもかかわらず、各食器を一体で携帯することは考慮されておらず、持ち運びに不向きであった。
【０００４】
そこで、本発明は持ち運びやすい食器セット及びこれに用いる食品用握り鋏を提供することを目的とする。
【課題を解決するための手段】
【０００５】
本発明は、食品を切断する握り鋏（２）と、食品をすくうスプーン（３）とを具備し、前記握り鋏の握り部（５）の内周に、前記スプーンの柄（１１）を受け入れる収容部（７）を前記柄の挿入によって前記握り部が押し広げられるように設けた食器セットにより、上述した課題を解決する。
【０００６】
この食器セットによれば、スプーンの柄を握り鋏の収容部に挿入することにより、握り鋏の握り部に与えられているばね力を利用してスプーンの柄を握り部で挟み込んで両者をゆるみなく組み合わせることができる。これにより、握り鋏とスプーンとがばらばらにならず、両者を携帯する際の便宜を図ることができる。スプーンと握り鋏とを組み合わせた状態においては、スプーンの柄が握り部の内側にあたかもストッパのように介在して握り鋏が開いた状態に保持される。従って、携行中に握り鋏の挟み部に何らかの物品が誤って挟み込まれるおそれがなく、安全性が高い。
【０００７】
本発明の食器セットにおいて、前記握り鋏の前記収容部へ前記スプーンの前記柄を挿入した状態で前記スプーンのすくい部（１０）が前記握り鋏の挟み部（６）と重なり合うように、前記スプーンの長手方向に関する前記収容部の深さ（Ｌ５）が設定されてもよい。この場合、握り鋏の挟み部の刃先同士の隙間をスプーンのすくい部が覆うため、刃先間に物が差し込まれるおそれがなく、安全性がより高まる。
【０００８】
本発明の食器セットにおいて、前記握り鋏の挟み部の刃先（８ａ、９ａ）が波形に形成されてもよい。刃先を食品に押し付けて切断する際には刃先と食品との間に滑りが生じることがある。波形に形成された刃先を食品に押し付けることにより、食品と刃先との間に滑りが生じても、食品を波形の凹部で保持できる。これにより、刃先に沿う方向への食品の逃げを防止でき、刃先にて食品を確実に切断することができる。
【０００９】
本発明の食品用握り鋏は、挟み部（６）の刃先（８ａ、９ａ）が波形に形成されていることにより、上述した課題を解決する。この場合も、刃先に沿う方向への食品の逃げを防止でき、刃先にて食品を確実に切断することができる。
【発明の効果】
【００１０】
以上に説明したように、本発明の食器セットによれば、スプーンの柄によって押し広げられた握り部のばね力を利用してスプーンの柄を挟み付けて保持するので、握り鋏とスプーンとを一体的に保持して持ち運ぶことができ、携行時の便宜を図ることができる。しかも、スプーンの柄によって握り鋏を開いた状態に拘束できるので、携行中に刃先に何らかの物品が誤って挟み込まれるおそれがなく安全性も高まる。また、本発明の食品用握り鋏によれば、握り鋏の挟み部の刃先が波形に形成されることにより、食品と刃先との間に滑りが生じても、食品を波形の凹部で保持でき、刃先に沿う方向への食品の逃げを防止して、食品を刃先にて確実に切断することができる。
【発明を実施するための最良の形態】
【００１１】
図１及び図２は本発明の食器セットの概要を示している。図１に示すように、食器セット１は、麺類等の食品を食べやすい大きさに切断する握り鋏２と、その握り鋏２とは別に独立して設けられたスプーン３とを備えている。
【００１２】
図２及び図３に示すように、握り鋏２には、Ｕ字状の握り部５と、その握り部５の先端側に連なる挟み部６とが設けられている。握り部５と挟み部６とは例えばプラスチックなどの弾性材料によって一体で成形されている。握り部５を握るように操作することにより、握り部５の後端の連絡部５ａを支点として挟み部６が矢印Ａ方向に閉じられる。
【００１３】
握り部５の内周はスプーン３の柄１１（図５参照）を受け入れる収容部７として構成されている。スプーン３が装着されていない状態において、収容部７は挟み部６から連絡部５ａに向かってほぼ一定間隔Ｌ２で延びており、その末端は連絡部５ａを下面側に開口させて形成された溝部５ｂに達している。
【００１４】
図３から明らかなように、挟み部６はその内側に一対の刃部８、９を備えている。刃部８、９の刃先８ａ、９ａはそれぞれ波形に形成されている。握り鋏２の上方からみたときに、各刃先８ａ、９ａの刃先形状は握り鋏２の長手方向に関する中心線ＣＬに関してほぼ対称であり、各刃先８ａ、９ａの凸部同士が互いに対向し、凹部同士が互いに対向する。刃部８、９の端部には、刃先８ａでは上面側（図３では手前側）に、刃先９ａでは下面側（図３では奥側）に、削ぎ部８ｂ、９ｂがそれぞれ設けられている。
【００１５】
一方、スプーン３は、図５（ａ）、（ｂ）に示すように、すくい部１０と、すくい部１０に連なる柄１１とを備えている。すくい部１０の上面側（図５（ａ）では手前側）及び下面側（図５（ａ）では奥側）には、食品をすくい取るすくい面１０ａと、食品をつぶす際に食品に押し付けられるつぶし面１０ｂが、それぞれ設けられている。図５（ａ）、（ｂ）及び図６に示したように、すくい面１０ａは楕円形の凹状曲面に、つぶし部１０ｂは円形の凹状曲面に、それぞれ成形されている。スプーン３は、例えばプラスチック材料によって一体で成形されている。
【００１６】
図５（ｂ）に示すように、柄１１は、すくい部１０側から後端側（図では右側）に向かうに従って上方に漸次傾斜するように設けられている。図５（ａ）から明らかなように、柄１１の幅は両端側（すくい部１０側及び後端部１１ａ側）と比較して中央側で大きくなるように設定され、その最大幅Ｌ１は収容部７の幅Ｌ２（図３）より若干大きく設定されている。図４に示したように、柄１１の後端部１１ａの幅Ｌ３は収容部７の幅Ｌ２よりも幾らか小さく設定されている。
【００１７】
以上の構成によれば、柄１１の最大幅Ｌ１が、収容部７の幅Ｌ２より若干大きく設定されているので、スプーン３の柄１１を握り鋏２の刃先側から収容部７に挿入すると、柄１１によって握り部５が幾らか押し広げられる。このため、握り部５のばね力を利用して柄１１を挟み込み、スプーン３と握り鋏２とを一体的にゆるみなく組み合わせることができる。従って、握り鋏２とスプーン３とを一体で持ち運ぶことができ、食器セット１の携帯性を高めることができる。しかも、柄１１を収容部７に挿入した状態では、柄１１が握り部５の間に挟まって握り部５を内側に変形させることができないので、挟み部６に何らかの物品が誤って挟み込まれるおそれがない。このため、携行中の安全性も高まる。
【００１８】
また、握り鋏２の刃先を基準としたときの長手方向に関する収容部５の深さＬ５はスプーン３の同一方向の全長とほぼ一致している。従って、収容部７にスプーン３の柄１１を挿入すれば、スプーン３のすくい部１０と握り鋏２の挟み部６とが重なり合う。これにより、刃先８ａ、９ａ同士の隙間がスプーン３で覆われて刃先８ａ、９ａ間の隙間に物品が差し挟まれるおそれがなくなる。従って、携行中の安全性はさらに高いものとなる。
【００１９】
さらに、握り鋏２においては、刃先８ａ、９ａに削ぎ部８ｂ、９ｂが設けられているので、刃先８ａ、９ａを互いに接近させると刃部９が刃部８の上側に乗り上がるようにして挟み部６が閉じられる。図７は、上述した挟み部６の閉じ動作によって、食品（図７では麺類）２０が切断される態様の一例を示した図である。図７から明らかなように、刃部８、９の刃先８ａ、９ａが、それぞれ波形に形成されているので、食品２０と刃先８ａ、９ａとの間に滑りが生じても、食品２０を波形の凹部で保持できる。これにより、刃先８ａ、９ａに沿う方向への食品２０の逃げを防止でき、刃先８ａ、９ａにて食品２０を確実に切断することができる。
【００２０】
本発明は上述した形態に限定されることなく、種々の形態にて実施してよい。例えば、握り鋏２の連絡部５ａに設けられた溝部５ｂは必須ではない。また、溝部５ｂは図８に示すように連絡部５ａの外面側へ貫通するように設けられてもよい。但し、スプーン３の柄１１が通過できないように、溝部５ｂの開口形状は柄１１の断面形状よりも小さく設定するとよい。握り鋏２は、握り部５が柄１１によって押し広げられることにより、握り部５の復元力が柄１１を挟みつけるように作用する限り、プラスチック材料以外の素材にて構成されてもよい。また、握り鋏２は一体成形にて構成される形態に限定されず、握り部５及び挟み部６をそれぞれ別部品として成形した後に、これらを組み立てることによって握り鋏２が構成されてもよい。
【００２１】
なお、本発明の範囲外ではあるが、食品の切断とすくう所作とを行い得るようにした食器の一例を以下に説明する。図９（ａ）、（ｂ）に示した食器３０は、Ｕ字状に形成された握り部３１と、握り部３１に連なるように設けられた上部部材３２及び下部部材３３と、を備えている。この食器３０によれば、図９（ｂ）のように上部部材３２を下部部材３３に押し付けることによって食品を切断できるとともに、部材３２、３３が組み合わされて形成されるすくい面３４にて食品をすくうことができる。食器３０が上述した握り鋏２及びスプーン３の機能を備えているので、部品点数が減少し、携帯性を高めることができる。
【００２２】
図１０に食器３０の変形例を示す。食器４０は、突起部４１が設けられた上部部材４２と、突起部４１を受け入れる溝部４３が設けられた下部部材４４とが、各部材４２、４４の基部４２ａ、４４ａにて接続されることによって構成されている。この構成によれば、上部部材４２を下部部材４４に押し付けて、突起部４１と溝部４３とが嵌まり合うことによって、食品を切断できる。また、不図示のフックにて図１０の想像線の状態で上部部材４２を下部部材４３に固定すれば、食器４０の先端に形成されるすくい部４５にて食品を容易にすくうことができる。この場合も、図９と同様に部品点数が減少し、携帯性を高めることができる。
【図面の簡単な説明】
【００２３】
【図１】本発明の食器セットの概要を示す斜視図。
【図２】本発明の食器セットの概要を示す側面図。
【図３】図１の握り鋏の上面図。
【図４】図３のIV−IV線に沿った断面図。
【図５】図１のスプーンの上面図(ａ)、及び側面図（ｂ）。
【図６】図５の矢印VIの方向から見た矢視図。
【図７】握り鋏で食品を切断する態様の一例を示す図。
【図８】収容部の変形例を示す図。
【図９】食品の切断とすくう所作とを行い得るようにした食器の例を示す図。
【図１０】図９の食器の変形例を示す図。
【符号の説明】
【００２４】
１  食器セット
２  握り鋏
３  スプーン
５  握り部
６  挟み部
７  収容部
８、９  刃部
８ａ、９ａ  刃先
１０  すくい部
１１  柄
２０  食品
Ｌ５  収容部の深さ
【図１】
2005177181.tif 000003
【図２】
2005177181.tif 000004
【図３】
2005177181.tif 000005
【図４】
2005177181.tif 000006
【図５】
2005177181.tif 000007
【図６】
2005177181.tif 000008
【図７】
2005177181.tif 000009
【図８】
2005177181.tif 000010
【図９】
2005177181.tif 000011
【図１０】
2005177181.tif 000012